(57)【特許請求の範囲】
【請求項１】
自動車部品を車体に固定するための部品取付構造において、
前記自動車部品には取付部が備えられ、前記車体には受部が備えられ、該取付部又は該受部のいずれか一方に磁石が設けられ、いずれか他方が強磁性体であり、前記取付部と前記受部との間で、該磁石が強磁性体のヨークで覆われ、該ヨークの端部が前記取付部又は前記受部のスライド部として設けられ、そして、該取付部と該受部とが磁力で吸着固定されることを特徴とする部品取付構造。
【請求項２】
前記取付部に前記磁石が設けられ、前記受部が前記強磁性体であることを特徴とする請求項１記載の部品取付構造。
【請求項３】
前記取付部には前記スライド部が設けられ、前記受部には該スライド部をスライド係合させるガイド部が形成されたことを特徴とする請求項１又は請求項２記載の部品取付構造。
【請求項４】
前記取付部と前記ヨークとが一体成形等により固着され、そして、該ヨークと前記磁石とが圧入又は接着剤等の方法で固着されたことを特徴とする請求項１〜３記載の部品取付構造。
【請求項５】
前記取付部と前記受部との間に、該取付部を該受部から引き離すための治具棒挿入部が形成されたことを特徴とする請求項１又は請求項４に記載の部品取付構造。
【請求項６】
前記ガイド部の少なくとも奥側に、前記取付部に対する突当部が設けられたことを特徴とする請求項３〜５のいずれか一つに記載の部品取付構造。
【請求項７】
前記ガイド部の入口側と奥側とに、前記取付部に対する段差部と突当部がそれぞれ設けられたことを特徴とする請求項３〜５のいずれか一つに記載の部品取付構造。
【請求項８】
前記受部は金属板が折り曲げて形成され、折り曲げた該金属板の間に、前記取付部を進入させるスライド空間が形成されたことを特徴とする請求項１〜７のいずれか一つに記載の部品取付構造。
【請求項９】
前記磁石が、フェライト磁石、希土類系磁石、その他の焼結磁石又はボンド系磁石であることを特徴とする請求項１〜８のいずれか一つに記載の部品取付構造。
【請求項１０】
前記磁石は、複数の磁石の磁極が交互に配列されて着磁された多極磁石であることを特徴とする請求項１〜９のいずれか一つに記載の部品取付構造。
【請求項１１】
電気接続箱の接続箱本体若しくは該電気接続箱の取付ブラケット又はハーネス用のプロテクタに、前記取付部が設けられたことを特徴とする請求項１〜１０のいずれか一つに記載の部品取付構造。
【発明の詳細な説明】
【０００１】
【発明の属する技術分野】
本発明は、電気接続箱やプロテクタ等のワイヤハーネス用の自動車部品を、自動車その他の車両の車体パネルに固定するための部品取付構造に関するものである。
【０００２】
【従来の技術】
図８は、この種の部品取付構造に関連する技術の一例を示すものである。
【０００３】
図示するように、電気接続箱８０は、上部に開口を有する接続箱本体８１と、接続箱本体８１の開口を塞ぐカバー８５と、接続箱本体８１に収容される図示しないジャンクションブロックとを備えている。ジャンクションブロックは、リレー、ヒューズ、コネクタ等の機能部品と、絶縁基板に積層されるバスバー等から構成されている。
【０００４】
接続箱本体８１には係止部８２が設けられ、カバー８５には係止部８２と係合する係合部８６が設けられ、係止部８２を係合部８６に係合させることにより接続箱本体８１とカバー８５とが緊密に嵌合するようになっている。そして、電気接続箱８０に水等がかかった場合でも、水が内部に浸入することが防止され、機能部品が保護されるようになっている。
【０００５】
接続箱本体８１の両側面には、Ｌ字状又は逆Ｌ字状の取付ブラケット８３が形成されており、取付ブラケット８３の先端側の平坦部には、ボルト挿通孔８４ａを有する取付部８４が設けられている。ボルト挿通孔８４ａには、ねじが切られていなく、いわゆるばか孔に形成されている。ボルト挿通孔８４ａをばか孔に形成することによって、接続箱本体８１と車両ボディとの間に位置ずれがある場合であっても、位置ずれを吸収することができるようになっている。
【０００６】
図示しない車両ボディの車体パネル８７には、所定の位置にナット８８が溶接されている。接続箱本体８１の取付部８４は、ナット８８に対応する位置に設けられている。電気接続箱８０は、主に、自動車のエンジンルームやインストルメントパネル廻りの車体パネル８７等に固定されるようになっている。
【０００７】
車体パネル８７に電気接続箱８０を取り付ける際は、車体パネル８７のナット８８の孔部８８ａと取付部８４のボルト挿通孔８４ａとを同軸に合わせて、締付ボルト８９を挿通し、そして螺合することにより、電気接続箱８０を車両ボディに固定することができるようになっている。
【０００８】
車両ボディから電気接続箱８０を取り外す際は、上記取付方法と逆の操作を行えばよく、締付ボルト８９をナット８８から外すことによって容易に取り外しを行うことができるようになっている。
【０００９】
【発明が解決しようとする課題】
しかしながら、上記従来の部品取付構造では、解決すべき以下の問題点がある。
【００１０】
一つには、電気接続箱８０の取り付け／取り外しの作業性が悪いという問題がある。電気接続箱８０が搭載される自動車のエンジンルームやインストルメントパネル廻りには、多数の電子周辺機器や機能部品が配置され、また多数の電線が配索されているゆえ、余分な空きスペースはなく、電気接続箱８０を搭載するスペースを確保すること自体が困難であるにもかかわらず、狭いスペースで締付ボルト８９の取り付け／取り外しを行うことは、より困難な姿勢での作業を強いることになり、作業性が一層低下する心配がある。
【００１１】
また、廃車時には、自動車等のリサイクルを行うために、車体パネル８７から電線や自動車部品等を取り除く必要があるが、締付ボルト８９とナット８８を利用した取付構造では、一旦緊密強固に締結した締付ボルト８９を作業スペースのない場所で取り外すことは困難であるゆえ、簡単には取り外せずリサイクルの妨げになっている。
【００１２】
また一つには、接続箱本体８１とカバー８５とを備える電気接続箱８０は、合成樹脂製の射出成形体であるゆえ、成形後に膨張・収縮、反りや変形等を起こし、取付部８４のボルト挿通孔８４ａとナット８８に位置ずれを生じることがある。位置ずれがあると、電気接続箱８０を車体パネル８７に固定することができなくなることがある。他方、位置ずれを避けるには、成形品である電気接続箱８０の寸法精度の管理が必要になり、余計な手間がかかり作業性が悪くなるという問題がある。
【００１３】
変形等によりボルト挿通孔８４ａとナット８８に位置ずれを生じた場合に、電気接続箱８０を歪めながら無理に車体パネル８７に取り付けると、電気接続箱８０の壁部にクラックが発生したり、破損が生ずることがある。また、電気接続箱８０に変形が生じると、接続箱本体８１とカバー８５の開口端部の間のシール性が損なわれて、隙間から水などが浸入するという心配もある。
【００１４】
本発明は、上記した点に鑑み、車体パネルへの取り付けと、車体パネルへからの取り外しを簡単に行うことができ、しかも確実強固に取付けることができ、また、リサイクル化を促進することができ、さらには磁石の磁力線が周囲に漏洩されるのが防止され、磁束密度が高くなり、そして、取付部の磁力を強くする部品取付構造を提供することを目的とする。
【００１５】
【課題を解決するための手段】
上記目的を達成するために、請求項１記載の発明は、自動車部品を車体に固定するための部品取付構造において、前記自動車部品には取付部が備えられ、前記車体には受部が備えられ、該取付部又は該受部のいずれか一方に磁石が設けられ、いずれか他方が強磁性体であり、前記取付部と前記受部との間で、該磁石が強磁性体のヨークで覆われ、該ヨークの端部が前記取付部又は前記受部のスライド部として設けられ、そして、該取付部と該受部とが磁力で吸着固定されることを特徴とする。
【００１６】
上記構成によれば、車体パネルと自動車部品とは、磁石の吸引力で互いに引き付け合うから、自動車部品をワンタッチで確実に車体パネルに取り付けることができる。また、自動車部品を車体パネルから取り外す際は、剪断方向に弱い磁石の性質を利用して、自動車部品の取付部又は受部を剪断方向にずらすことで、自動車部品を車体から容易に取り外すことができる。また、上記構成によれば、磁石がヨークに覆われるから、磁石の磁力線が周囲に漏洩することが防止され、磁力線が集中して、磁石の磁束密度が高くなる。また、ヨークの端部がスライド部として設けられるから、磁石の磁気誘導によってスライド部が磁化され、取付部の磁力が強くなる。
【００１７】
また、請求項２記載の発明は、請求項１記載の部品取付構造において、前記取付部に前記磁石が設けられ、該受部が強磁性体であることを特徴とする。
【００１８】
上記構成によれば、自動車部品の取付部に磁石が備わっているから、従来のように締付ボルトが挿通される取付ブラケットの位置決め精度等を気にすることなく、自動車部品を車体パネルの自由な位置に磁力で吸着固定することができ、自動車部品の取付作業性が向上する。
【００１９】
また、請求項３記載の発明は、請求項１又は請求項２記載の部品取付構造において、前記取付部に前記スライド部が設けられ、前記受部には該スライド部をスライド係合させるガイド部が形成されたことを特徴とする。
【００２０】
上記構成によれば、スライド部が、ガイド部に挿入してスライド係合するから、スライド方向に直交する方向の位置決めが行われて、がたつきを生じることなく、自動車部品が車体パネルに固定される。
【００２３】
また、請求項４記載の発明は、請求項１〜３記載の部品取付構造において、前記取付部と前記ヨークとが一体成形等により固着され、そして、該ヨークと前記磁石とが圧入又は接着剤等の方法で固着されたことを特徴とする。
【００２４】
上記構成によれば、取付部とヨークとが、インサート成形等の一体成形により固着するから、接触面の密着性が強くなり、ヨークが取付部から外れることが防止され、他方、ヨークと磁石とが、圧入等により固着するから、磁石がヨークから脱落が防止される。
【００２５】
また、請求項５記載の発明は、請求項１又は請求項４に記載の部品取付構造において、前記取付部と前記受部との間に、該取付部を該受部から引き離すための治具棒挿入部が形成されたことを特徴とする。
【００２６】
上記構成によれば、治具棒挿入部が形成されているから、治具棒を治具棒挿入部に差し込みながら起こすことで、取付部を受部から引き離し、自動車部品を車体から容易に取り外すことができる。
【００２７】
また、請求項６記載の発明は、請求項３〜５のいずれか一つに記載の部品取付構造において、前記ガイド部の奥側に、前記取付部に対する突当部が設けられたことを特徴とする。
【００２８】
上記構成によれば、取付部を受部に押し込んでスライドさせると、取付部がスライド方向に位置する突当部に当接して、自動車部品のスライド方向の位置決めが行われる。
【００２９】
また、請求項７記載の発明は、請求項３〜５のいずれか一つに記載の部品取付構造において、前記ガイド部の入口側と奥側とに、前記取付部に対する段差部と突当部がそれぞれ設けられたことを特徴とする。
【００３０】
上記構成によれば、取付部が受部の突当部と段差部の間に位置するから、取付部がスライド方向に位置する突当部に当接して、スライド方向の位置決めが行われ、取付部が段差部に当接してスライド反対方向に抜けることが防止され、スライド方向の前後に位置決めされる。
【００３１】
また、請求項８記載の発明は、請求項１〜７のいずれか一つに記載の部品取付構造において、前記受部は金属板が折り曲げて形成され、折り曲げた該金属板の間に、前記取付部を進入させるスライド空間が形成されたことを特徴とする。
【００３２】
上記構成によれば、金属板を折り曲げて受部が形成されているから、折り曲げた金属板の間のスライド空間に、取付部がスライド進入し、金属板によって挟持される。このため、自動車部品は、がたつきを生じることなく車体パネルに確実に取り付けられ、振動などによって外れ落ちることが防止される。
【００３３】
また、請求項９記載の発明は、請求項１〜８のいずれか一つに記載の部品取付構造において、前記磁石が、フェライト磁石、希土類系磁石、その他の焼結磁石又はボンド系磁石であることを特徴とする。
【００３４】
上記構成によれば、磁石に焼結磁石を用いれば、磁石の磁束密度が高く、保持力が大きくなり、振動や温度変化によって減磁することはあっても、自動車部品が車体パネルから外れない程度の吸着力が維持される。磁石にボンド系磁石を用いれば、磁石の弾力性によって、車両の振動が吸収されて、磁石の吸着安定性が向上する。
【００３５】
また、請求項１０記載の発明は、請求項１〜９のいずれか一つに記載の部品取付構造において、前記磁石は、複数の磁石の磁極が交互に配列されて着磁された多極磁石であることを特徴とする。
【００３６】
上記構成によれば、取付部に備わる磁石が多極磁石であるから、磁石の外側に漏洩する磁力線の数が減少し、磁束密度が高くなり、そして磁力が強くなり、自動車部品の車体パネルからの脱落が防止される。
【００３７】
また、請求項１１記載の発明は、請求項１〜１０のいずれか一つに記載の部品取付構造において、電気接続箱の接続箱本体若しくは該電気接続箱の取付ブラケット又はハーネス用のプロテクタに、前記取付部が設けられたことを特徴とする。
【００３８】
上記構成によれば、電気接続箱又はプロテクタが、ボルトやナットを用いることなく磁石の力で車体パネルに固定されるから、取り付け／取り外しを容易に行うことができ、自動車部品等のリサイクル化が促進される。
【００３９】
【発明の実施の形態】
以下に本発明の実施の形態の具体例を図面を用いて詳細に説明する。
図１は、本発明に係る部品取付構造の第１の実施形態を示すものである。
【００４０】
図１には、車体パネル（車体）５０に取り付けられる電気接続箱（自動車部品）１０が示されている。電気接続箱１０は、図示しない車両等の車体パネル（車体）５０に、磁力で吸引され吸着固定されるようになっている。車両は、四輪自動車に限られず、二輪車、トラクターその他の農業車両、クレーン車その他の建設機械車両等が挙げられる。車体パネル５０は、強磁性体である鉄板等から構成されている。
【００４１】
電気接続箱１０は、電気的接続の主要な部分をなすジャンクションブロック４０，４１と、上部に開口を有しジャンクションブロック４０，４１を収容する接続箱本体１５と、下部に開口を有し接続箱本体１５の開口に覆設されるカバー３１とから構成されている。この電気接続箱１０は、自動車のエンジンルームやインストルメントパネル廻りに配置され、各種補機類の電気的接続を中継する組付用の自動車部品である。
【００４２】
ジャンクションブロック４０，４１は、計器類、スイッチ類、ランプ類その他の電子周辺機器間の信号授受や、スタータ、オルタネータ等へのバッテリーからの電源供給等の機能を果たす構成部分である。ジャンクションブロック４０，４１は、合成樹脂製の絶縁基板と、絶縁基板に重なり合い導通経路を形成するバスバー（図示せず）と、バスバーの端部や中間部から起立連成されたタブ端子に接続される機能部品とからなっている。
【００４３】
バスバーは、プレスにて導電性の金属板が打ち抜かれて形成された板状の導体板である。機能部品には、リレー４２、ヒューズ４３、コネクタ４４、ヒュージブルリンク（図示せず）、サーキットブレーカ（図示せず）等が挙げられる。バスバーは、合成樹脂性の絶縁基板に重ねられて（積層した状態で重ねられて）、配線板を構成する。配線板と機能部品とで、ジャンクションブロック４０，４１が構成されるが、必ずしも、リレー４２等の機能部品を配線板に接続する必要はなく、配線板だけで各種補機類に対する分岐回路を構成することもできる。
【００４４】
合成樹脂製のカバー３１は、接続箱本体１５の開口を塞いで、水、スチーム又は塵埃等が内部に浸入するのを防止するためのものであり、射出成形法にて高精度に成形されている。カバー３１の外壁３２は、上壁３３と、上壁３３の周囲に連なる縁壁３４とからなっている。縁壁３４の内壁面が接続箱本体１５の開口端部１９の外壁面に重なり合い、かつ、縁壁３４の内壁面に直交して続く枠状端部３５が接続箱本体１５の開口端部１９に突き当たり、接続箱本体１５の開口が緊密に密閉されるようになっている。双方の突き当たる枠状端部３５と開口端部１１９との間に図示しないパッキンを挟むこともでき、パッキンを挟むことで、より一層電気接続箱１０の防水性が向上する。
【００４５】
合成樹脂製の接続箱本体１５は、矩形箱状をなす深底の器であり、カバー３１と同様に射出成形法にて一体的に成形されている。接続箱本体１５の外壁１６は、側壁１７と、側壁１７の縁部に直交して続く底壁１８とからなっている。側壁１７と底壁１８とで囲まれる内部空間内にリレー４２、ヒューズ４３、コネクタ４４が接続されたジャンクションブロック４０，４１が収まっている。図示するジャンクションブロック４０，４１は、機能部品毎に２つに分割されているが、一体的に形成されたジャンクションブロックを用いることもできる。
【００４６】
接続箱本体１５の一側側壁１７には、接続箱本体１５を車体パネル５０に固定するための取付ブラケット２５が設けられている。取付ブラケット２５は、一側側壁１７の両側に一対設けられている（一方のみを図示する）。接続箱本体１５に外壁１６から突出する取付ブラケット２５を設けることで、車体パネル５０が平坦面ではなく湾曲面である場合にも、電気接続箱１０を取り付けることができ、電気接続箱１０の取り付けの自由度が向上する。
【００４７】
取付ブラケット２５は、側壁１７に連なる脚部２６と、脚部２６に続く取付部２７とからなっている。取付ブラケット２５の全体的形状は、Ｌ字状又は逆Ｌ字状に限定されるものではない。脚部２６の付け根側は太く幅広に形成され、脚部２６の先端側に近づくにしたがい漸次細く幅狭に形成されている。そして、先端側から屈曲して取付部２７が続いている。
【００４８】
取付部２７は、車体パネル５０の受部５１に対する固定部分である。この取付部２７は、方体形状をなしており、内部には取付面が外向きに露出するように磁石４５が埋め込まれている。磁石４５には、アルニコ磁石（ＭＫ鋼）、フェライト磁石や希土類系磁石、ボンド系磁石などの種々の磁石が適用できるが、磁束密度が高く、保持力の大きい焼結磁石が好適する。
【００４９】
また、粉末冶金法により一体的に焼結された磁石４５に代えて、棒状磁石のＮ極とＳ極とを交互に配列して着磁された多極磁石（図示せず）を用いることもできる。多極磁石を用いれば、磁石の外側に漏洩する磁力線の数が減少し、磁力線が集中し磁束密度が高くなり、磁力が強くなる利益がある。
【００５０】
取付部２７の全体的形状は、方体形状に限るものではなく、円板状、多角形状その他の形状であってもよく任意である。取付部２７に対する磁石４５の固着は、圧入などの埋設に限るものではなく、取付部２７と一体的に成形したり、合成樹脂製の接着剤で接着してもよい。
【００５１】
図２に示すように、取付部２７の端部周縁２８には、環状の鍔部（スライド部）２９が形成されている。鍔部２９は、取付部２７の周囲に形成されているが、必ずしもこのように形成する必要はなく、車体パネル５０（図１）の受部５１に対してスライド係合できるものであればよい。従って、少なくとも、スライド方向Ａ（図１）に直交する方向に相対向する一対の鍔部２９が設けられていればよい。なお、本実施形態のように、スライド方向Ａの前後にも鍔部２９を設けることができる。スライド方向Ａ前側に位置する鍔部２９は、受部５１の奥側５７に形成された突当部５８（図４）に当接して、電気接続箱のスライド方向Ａの位置決めが行われている。スライド方向Ａ後側に位置する鍔部２９は、受部５１の入口側５５の段差部５６（図４）に当接して、取付部２７が受部５１から後抜けしないようになっている。
【００５２】
鍔部２９は、合成樹脂製の取付部２７と一体的に形成することもできるが、他に図３に示すように、鍔部２９を磁性を有するステンレス鋼板（例えば、ＪＩＳＳＵＳ４３０）その他の強磁性体で形成することもできる。この場合、取付部２７と磁石４５との間に薄板のヨーク３７を挟み、ヨーク３７の端部３９を取付部２７の端部周縁２８にフランジ状に引き出せばよい。
【００５３】
取付部２７とヨーク３７は、インサート成形などにより一体的に成形され、次いで、磁石４５がヨーク３７の凹所３８に圧入されて固定される。すなわち、ヨーク３７は、取付部２７と磁石４５の間に中間部材としてサンドイッチ状に挟まれて固定される。なお、磁石４５とヨーク３７の固定を接着剤で行うこともできる。
【００５４】
このようにすると、磁石４５はその周囲が強磁性体のヨーク３７に囲まれるようになり、磁力線の放出が抑制され、磁力線が集中して磁束密度が高くなる。一方、ヨーク３７は磁石４５の磁気誘導によって磁化されて、互いを引き付け合う磁力が強くなる。また、鍔部２９の端面２９ａが、受部５１に対する取付面となるゆえ、取付部２７と受部５１の吸着力が大きくなり、電気接続箱１０を車体パネル５０に確実に固定することができる。
【００５５】
なお、鍔部２９の端面２９ａが取付面となる場合は、磁石４５の露出面を鍔部２９の端面２９ａと同一面に形成しなくてもよく、むしろ鍔部２９の端面２９ａより内側に凹ませるほうが好ましい。そうすると、受部５１（図１）に対する接触面積は小さくなるものの、逆に磁石４５の吸着力は大きくなるためである。クーロンの法則によれば、磁石４５の吸着力は双方の磁極の積に比例し、接触面積には無関係だからである。また、ヨーク３７に磁力線が集中して、磁気エネルギーが大きくなるからである。
【００５６】
また、図５に示すように、スライド空間５４の入口側５５（図４）に位置するヨーク３７の鍔部２９には、磁力で吸着固定された取付部２７と受部５１とを引き離すための治具棒挿入部３０が形成されている。治具棒挿入部３０は、テーパ面３０ａを有する溝状に形成されている。このため、治具棒４７で取付部２７をこじって傷などを付けることなく、治具棒４７を差し込みながら起こすことで、磁力で吸着した電気接続箱１０（図１）を車体パネル５０から容易に取り外すことができるようになっている。
【００５７】
図６に示すように、車体パネル５０（図１）の受部５１は、強磁性体である鉄板からなっており、車体パネル５０とは別部材である。従って、受部５１を車体パネル５０の任意の位置に自由に溶接等により固定することができる。受部５１は、鉄板に限定されるものではなく、上述した磁性を有するステンレス鋼であってもよく、車体パネル５０に対する溶接性と、磁石４５との吸着力を考慮して選ばれる。
【００５８】
受部５１は、鉄板からプレスにて所定形状に打ち抜かれた打抜片を、折り返すように折り曲げ加工され形成されている。受部５１の裏面５１ｂは、車体パネル５０に対する溶接面である。表面５１ａには、受部５１をスライドガイドするスロット（ガイド部）５３が形成されている。折り返された２枚の金属板の間には、スライド空間５４が形成されている。
【００５９】
スライド空間５４の入口側５５には、取付部２７のスライド方向Ａ後側の鍔部２９が当接して、スライド方向Ａ反対側に後抜けするのを防止する段差部５６が形成されている。スライド空間５４の奥側５７には、図５等に示す取付部２７のスライド方向Ａ前側の鍔部２９が当接する突当部５８が形成されている。このため、取付部２７は段差部５６と突当部５８との間に位置して、スライド方向Ａの前後に位置決めされるようになっている。スライド方向Ａに直交する方向の位置決めは、前述したように、スロット５３に取付部２７がスライド係合することにより行われる。なお、段差部５６又は突当部５８のいずれか一方を設けるようにしてもよい。
【００６０】
また、受部５１には、段差部５６に続く傾斜板部５９が形成されている。この傾斜板部５９は、根本側が段差部５６に連なり自由端側が、車体パネル５０（図１）から離れる方向に傾斜している。傾斜板部５９は、根本側を支点として車体パネル５０の板厚方向に撓み可能に形成されている。取付部２７は、傾斜板部５９を内側に撓ませながらスライド挿入し、受部５１のスロット５３に取付部２７がガイドされながら深く挿入して、鍔部２９がスライド空間５４の突当部５８に当接することにより、取付部２７がスライド空間５４に完全に納まり、傾斜板部５９が弾性復帰するようになっている。
【００６１】
次に、本発明の第２の実施形態について説明する。本実施形態は、ワイヤハーネス用のプロテクタ（自動車部品）６５に関する取付構造を示したものである。図７に示すプロテクタ６５は、長手方向の両側と一側端部が開口形成された矩形筒状のプロテクタ６５であり、内側には複数の電線７２又は複数の電線が結束された図示しないワイヤハーネスを収納して保護するものである。
【００６２】
プロテクタ６５の両端部が開口しているのは、複数の電線７２の中間部を保護するものだからである。一側端部が開口しているのは、複数の電線７２を軸直角方向から挟み込むことができるようにするためである。電線７２を挟み込んだ後は、電線７２をプロテクタ６５に固定するために、プロテクタ６５の所要箇所に絶縁性のテープ７３等が巻回される。
【００６３】
前記プロテクタ６５は、電線７２の配索経路に配置され、車体パネル７５に取り付けられる。従来は（図示せず）、例えば、プロテクタにボルト挿通孔を有する取付ブラケットを設け、車体パネルにボルト挿通孔に対向する孔部を設けて、締付ボルトとナットとを締結することにより固定していた。本実施の形態では、締付ボルトとナットとを用いることなく、磁石７０と強磁性体の吸引により、プロテクタ６５を車体パネル７５に固定するものであり、部品点数が少なくなり、手間がかからずワンタッチで取り付けることができる。
【００６４】
プロテクタの一側の側壁６６には、側壁面から突出する取付部６７が設けられている。取付部６７の両側には、テーパ部（スライド部）６８が形成されている。取付部６７の略中央部には、磁石７０が埋め込まれている。取付部６７と磁石７０の固定方法は、第１の実施形態と同様であり、圧入等の種々の方法が適用される。
【００６５】
磁石７０には永久磁石が用いられ、例えば、フェライト磁石、希土類系磁石等の焼結磁石又はボンド系磁石が適用される。ボンド系磁石は、磁性粉末をゴムやプラスチックなどの結合剤と混ぜ合わせて成形したものであるが、結合剤が多いため、焼結磁石に比べると磁束密度が低く、保持力が小さいものが多いが、サマリウム・鉄・窒化物などの磁性粉末を混ぜ合わせれば強力な磁石として使用可能である。ボンド系磁石は、衝撃性、振動性が高いため、自動車の振動が加わる箇所に好適する。
【００６６】
車体パネル７５は、強磁性体である鉄板等を構成材料としている。車体パネル７５には、プロテクタ６５の取付部６７に係合するあり溝状の受部７７が形成されている。従って、受部７７の溝壁（ガイド部）７８は、テーパ部６８に対するスライド面となっている。受部７７の形状は、必ずしもあり溝形状に限定するものではなく、プロテクタ６５の取付部６７とスライド係合するものであればよい。
【００６７】
上記構成の作用について説明すると、プロテクタ６５を車体パネル７５の上方に配置し、取付部６７と受部７７の位置合わせを行ない、取付部６７を受部７７に挿入する。そうすると、取付部６７は受部７７にガイドされながらスライドして、奥までスライドした位置で磁石７０と強磁性体とが磁力で吸着固定する。
【００６８】
なお、第１の実施形態及び第２の実施形態において、磁石４５，７０を自動車部品１０，６５に設ける代わりに、磁石４５，７０を車体パネル５０，７５に設け、自動車部品１０、６５の取付部２７，６７に強磁性体を設けてもよい。
【００６９】
【発明の効果】
以上の如く、請求項１記載の発明によれば、車体パネルと自動車部品とが、磁石の吸引力で互いに引き付け合うことで、自動車部品をワンタッチで車体パネルに取り付けることができ、また、自動車部品を車体パネルから取り外す際は、自動車部品の取付部又は受部を剪断方向にずらすことで、自動車部品を車体から容易に取り外すことができる。従って、自動車部品の車体パネルへの取り付けと、車体パネルからの自動車部品の取り外しを簡単に行うことができ、組付作業性が向上し、自動車部品等のリサイクル化が促進される。また、請求項１記載の発明によれば、磁石がヨークに覆われることで、磁石の磁力線が周囲に漏洩することが防止され、磁石の磁束密度が高くなり、そして、ヨークの端部がスライド部として設けられることで、磁石の磁気誘導によって受部に対する取付部の磁力が強くなる。従って、自動車部品を車体パネルに確実強固に固定することができる。
【００７０】
また、請求項２記載の発明によれば、取付部に磁石を設けることで、自動車部品を車体パネルの自由な位置に取り付けることができる。従って、自動車部品の配置の自由度が向上して、組付作業性が向上する。
【００７１】
また、請求項３記載の発明によれば、スライド部がガイド部に挿入してスライド係合することで、スライド方向に直交する方向の位置決めが行われる。従って、がたつきを生じることなく、自動車部品を車体パネルに固定することができる。
【００７３】
また、請求項４記載の発明によれば、取付部とヨークとがインサート成形等の一体成形により固着されることで、取付部とヨークの密着性が強くなり、また、ヨークと磁石とが圧入等により固着されることで、磁石が脱落することが防止される。従って、請求項１記載の発明の効果が維持され、自動車部品が車体パネルに吸着固定される。
【００７４】
また、請求項５記載の発明によれば、治具棒を治具棒挿入部に差し込みながら起こすことで、車体パネルに吸着した自動車部品を車体から容易に取り外すことができる。従って、磁力による吸着力が強くても、自動車部品の取り外しを容易に行うことができ、自動車部品等のリサイクル化が促進される。
【００７５】
また、請求項６記載の発明によれば、取付部を受部にスライドさせながら進入させると、取付部が突当部に当接して、スライド方向の位置決めが行われる。従って、車体パネルに対する自動車部品の位置ずれやがたつきが防止される。
【００７６】
また、請求項７記載の発明によれば、取付部が受部の前後に位置する突当部と段差部の間に位置することで、取付部がスライド方向とスライド反対方向に位置決めされる。従って、請求項６記載の発明の効果がより一層向上して、より正確な位置決めが行われ、自動車部品のがたつき等が有効に防止される。
【００７７】
また、請求項８記載の発明によれば、金属板を折り曲げて受部が形成されるから、受部の間にスライド進入した取付部が、金属板によって挟持される。従って、自動車部品が車体パネルに確実に取り付けられて、振動や衝撃などによって外れ落ちることが防止される。
【００７８】
また、請求項９記載の発明によれば、磁石に焼結磁石を用いることで、磁束密度が高くなり、保持力が大きくなり、砂利道などの悪路走行時であっても、自動車部品が車体パネルから脱落することが防止され、他方、磁石にボンド系磁石を用いることで、磁石の弾力性によって、車両の振動が自動車部品に伝わることが防止される。従って、磁石の性質に基づいて、適切な磁石を選択することにより、車体パネルに対する自動車部品の吸着信頼性を高めることができる。
【００７９】
また、請求項１０記載の発明によれば、磁石を多極磁石とすることで、漏洩する磁力線の数が減少し、磁束密度が高くなる。従って、磁力が強くなり、車体に強い衝撃等が加わった場合であっても、自動車部品が車体パネルから脱落することが防止される。
【００８０】
また、請求項１１記載の発明によれば、電気接続箱又はプロテクタが車体パネルに磁力で吸着固定されることで、自動車部品の取り付け／取り外しを容易に行うことができ、自動車部品のリサイクル化が促進される。
【図面の簡単な説明】
【図１】本発明に係る部品取付構造の第１の実施形態を示す斜視図である。
【図２】図１に示す自動車部品の取付部と、車体パネルの受部との嵌合状態を示す平面図である。
【図３】図２の嵌合状態におけるＡ−Ａ線に沿って切断した平面の断面図である。
【図４】同じく嵌合状態におけるＢ−Ｂ線に沿って切断した平面の断面図である。
【図５】同じく嵌合状態におけるＣ−Ｃ線に沿って切断した平面の断面図を示し、治具棒を差し込む状態の説明図である。
【図６】図１に示す車体パネルの受部を示す斜視図である。
【図７】本発明に係る部品取付構造の第２の実施形態を示す斜視図である。
【図８】従来の部品取付構造の一例を示す斜視図である。
【符号の説明】
１０            電気接続箱（自動車部品）
１５            接続箱本体
２５            取付ブラケット
２７，６７      取付部
２９            鍔部（スライド部）
３０            治具棒挿入部
３１            カバー
３７            ヨーク
４５，７０      磁石
５０，７５      車体パネル（車体）
５１，７７      受部
５３            スロット（ガイド部）
５６            段差部
５８            突当部
６５            プロテクタ（自動車部品）
６８            テーパ部（スライド部）
７８            溝壁（ガイド部）
【図１】
0003971182.tif 000002
【図２】
0003971182.tif 000003
【図３】
0003971182.tif 000004
【図４】
0003971182.tif 000005
【図５】
0003971182.tif 000006
【図６】
0003971182.tif 000007
【図７】
0003971182.tif 000008
【図８】
0003971182.tif 000009